(57)【特許請求の範囲】
【請求項１】
少なくとも１つの制御可能な装置を制御するように構成される制御システムであって、前記装置は、対応する識別子を割り当てられ、前記装置の識別子を含む識別信号を送信するように構成され、当該制御システムは、
−前記制御可能な装置を制御するように構成される制御項目を表示するディスプレイと、
−前記識別子を含む前記識別信号を無線的に受信するように構成される受信器と、
を含み、
当該制御システムは、前記ディスプレイにおける前記制御項目の位置を前記受信される識別子を用いて識別される前記装置へ割り当てるように構成される、
制御システム。
【請求項２】
請求項１に記載の制御システムであって、前記制御システムは、前記制御項目の選択可能な位置を前記識別される装置へ割り当てるように構成される、制御システム。
【請求項３】
請求項１に記載の制御システムであって、前記制御システムは、複数の分散される制御可能な装置を制御するように構成され、前記装置は、前記装置の区別可能な識別子を含む対応する識別信号を送信するように構成され、前記受信器は、前記分散される装置の前記識別信号及び位置を受信するように構成され、前記制御システムは、前記ディスプレイにおける前記制御項目の前記受信される位置を、前記識別子によって識別される前記対応する分散される装置へ自動的に割り当てるように構成される、制御システム。
【請求項４】
請求項１に記載の制御システムであって、当該制御システムは、シーン画像を得るために、前記少なくとも１つの制御可能な装置、又はその効果を視覚的に記録するイメージセンサを含み、当該制御システムは、前記ディスプレイにおいて前記シーン画像と前記制御項目とを組み合わせるように制御される、制御システム。
【請求項５】
請求項１に記載の制御システムであって、前記少なくとも１つの制御可能な装置は、可視光を発するように構成される照明源を含み、前記可視光は、前記識別子を含む前記識別信号を含み、前記受信器は、前記光識別信号を受信するイメージセンサを含み、前記制御システムは、前記ディスプレイにおける前記制御項目の前記位置を、前記光識別信号における前記受信された識別子を用いて識別される前記照明源へ割り当てるように構成される、制御システム。
【請求項６】
請求項１に記載の制御システムであって、当該制御システムは、内部又は外部制御情報源から制御情報を受信するように構成され、前記制御情報は、前記識別子により前記装置へ関連付けられ、且つ前記ディスプレイにおける前記制御項目へ前記制御情報をリンクさせるように構成される、制御システム。
【請求項７】
請求項１に記載の制御システムであって、当該制御システムは、制御ネットワークを通じて前記少なくとも１つの装置を制御するように構成され、当該制御システムは、前記ディスプレイにおける制御項目の動作に応答して制御コマンドを生成するように構成され、且つ、前記制御ネットワークを通じて前記装置へ前記制御コマンドを、任意選択的に中央手段を介して、送信するように構成される、制御システム。
【請求項８】
制御システムを用いて少なくとも１つの制御可能な装置を制御することを可能にする方法であって、前記装置は、対応する識別子を割り当てられ、且つ前記装置の識別子を含む識別信号を送信するように構成され、当該方法は、
−前記装置の前記識別子を受信するステップと、
−前記制御システムのディスプレイにおける前記制御項目の位置を、前記受信される識別子を用いて識別される前記装置へ割り当てるステップと、
−前記ディスプレイの前記位置において、前記制御可能な装置の制御を可能にするように構成される前記制御項目を表示するステップと、
を含む、
方法。
【請求項９】
請求項８に記載の方法であって、前記制御項目の選択可能な位置を前記識別される装置へ割り当てるステップを含む、方法。
【請求項１０】
複数の分散された制御可能な装置における制御を可能にする、請求項８に記載の方法であって、前記装置は、前記装置の区別可能な識別子を含む対応する識別信号を送信するように構成され、当該方法は、
−記分散される装置の前記識別信号及び前位置を受信するステップと、
−前記ディスプレイにおける前記制御項目の前記受信される位置を、前記識別子によって識別される前記対応する分散される装置へ自動的に割り当てるステップと、
を含む、方法。
【請求項１１】
請求項８に記載の方法であって、
−シーン画像を得るために、前記少なくとも１つの制御可能な装置、又はその効果を視覚的に記録するステップと、
−前記シーン画像と前記ディスプレイにおける前記制御項目とを組み合わせるステップと、
を含む、方法。
【請求項１２】
請求項８に記載の方法であって、前記少なくとも１つの制御可能な装置は、可視光を発するように構成される照明源を含み、前記可視光は、前記識別子を含む前記識別信号を含み、当該方法は、
−前記光識別信号を受信するステップと、
−前記ディスプレイにおける前記制御項目の前記位置を、前記光識別信号における前記受信された識別子を用いて識別される前記照明源へ割り当てるステップと、
を含む、
方法。
【請求項１３】
請求項８に記載の方法であって、更に、
−前記識別子により前記装置へ関連付けられる制御情報を、内部又は外部制御情報源から受信するステップと、
−前記受信された制御情報を前記ディスプレイにおける前記制御項目へリンクさせるステップと、
を含む方法。
【請求項１４】
請求項８に記載の方法であって、更に、
−前記ディスプレイにおける制御項目の動作に応答して制御コマンドを生成するステップと、
−前記制御ネットワークを通じて前記装置へ前記制御コマンドを、任意選択的に中央手段を介して、送信するステップと、
を含む方法。
【請求項１５】
処理器実行される場合に、請求項８乃至１４に記載の１つ又は複数のステップを実行するように構成されるソフトウェアコード部分を含む計算機プログラム又は一群の計算機プログラム。
【発明の詳細な説明】
【技術分野】
【０００１】
本発明は、１つ以上の制御可能な装置、具体的には照明システムにおける照明源の制御の分野に関する。より具体的には、本発明は、ユーザに、１つ以上の有形の装置がインストールされた後に、ユーザによって直感的及び容易な手法でこれらの装置を制御させる方法の分野に関する。
【背景技術】
【０００２】
様々な種類の装置のリモートコントロールは、ここ十年において一般的な技術になってきた。よく知られる例は、テレビ及びディスクプレーヤなどのオーディオビジュアル装置を含む。ドア及びカーテンを含む、より多くの装置が、遠隔制御可能であるように構成され得る。
【０００３】
遠隔制御可能な装置の特に興味深い分野は、照明源に関する。
【０００４】
照明設計は、芸術であり、したがって、ユーザ又は照明デザイナの創作性に依存する。このプロセスは、電子的手段によって置換され得ないが、概して、ユーザ又は照明デザイナの創造性及び知識に依存する。
【０００５】
照明シーンがユーザ又は照明デザイナの頭の中又は構想の中で創造されるアイデア段階の後には、照明源を含む照明インフラストラクチャが整備されるインストレーション段階が続く。最後に来るのは、ユーザ又は照明デザイナが計画された照明シーン又は照明コンセプトを物理的なインフラストラクチャへ組み込むマッピング段階である。このことは、非常に重要であるが、その理由は、ユーザ又はデザイナのアイデアとユーザ又は顧客の達成感との間のブリッジを表すからである。
【０００６】
現在、マッピングは、照明インフラストラクチャにインストールされた全ての装置（すなわち照明源）へアクセス出来ようにする照明ユーザ操作複合制御パネルを用いて行われる。
【０００７】
現在利用可能なツールを用いたマッピングは、非常に煩雑な仕事である。一般的な照明インフラストラクチャは、少なくとも１０個の照明源を含む。実際には、ユーザ又は照明デザイナは、空間及び照明の点で照明シーンの想像をしているが、制御下にあるものの全ては、多数の（ソフトウェアで実施化される場合、デジタルの）レバーで埋められた制御パネルである。第１に、ノブ及び照明源の間の全てのマッピングのが直接的に明確でなく、理解される必要があるので、照明シーンとの相互作用は、直感的でない。また、固定された制御位置に位置する場合に、ボタンの１ある１つの設定を変更する影響を判断することは困難であるが、その理由は、様々な異なる側からの影響はかなり異なり得るからである。
【発明の概要】
【発明が解決しようとする課題】
【０００８】
本発明の目的は、照明インフラストラクチャのより優れた及びより直感的な制御を可能にする制御システム及び方法を提供することである。
【課題を解決するための手段】
【０００９】
少なくとも１つの制御可能な装置を制御するように構成される制御システムが開示される。前記装置は、対応する識別子を割り当てられており、前記装置の識別子を含む識別信号を送信するように構成される。当該制御システムは、前記制御可能な装置を制御するように構成される制御項目を表示するディスプレイを含む。当該制御システムは、前記識別子を含む前記識別信号を無線的に受信するように構成される受信器も含む。当該制御システムは、前記ディスプレイにおける前記制御項目の位置を前記受信される識別子を用いて識別される前記装置へ割り当てるように構成される。
【００１０】
また、制御システムを用いて少なくとも１つの制御可能な装置を制御することを可能にする方法も開示される。前記装置は、対応する識別子を割り当てられており、且つ前記装置の識別子を含む識別信号を送信するように構成される。前記装置の前記識別子は受信され、ディスプレイにおける前記制御項目の位置は、このように識別される装置へ割り当てられる。前記制御項目は、前記ディスプレイの割り当てられる位置において表示される。制御項目は、前記制御可能な装置の制御を可能にするように構成される。
【００１１】
この方法を実行するように構成される計算機プログラム又は一群の計算機プログラムも開示される。
【００１２】
少なくとも１つの制御可能な装置は、照明源、及び、複数のこのような照明源及びコントローラ（例えばスイッチ又はディスプレイ）であって１つ以上のこのような照明装置を制御するように構成される照明装置、などの照明インフラストラクチャのコンポーネントであり得る。
【００１３】
装置の識別子は、例えば光（赤外線、可視光）又は音（超音波）などを用いて、個別に各装置から制御システムへ伝達され得る。
【００１４】
制御システムは、一体型受信器を含む単一の携帯型装置であり得る。受信器は、装置の識別子を得るための１つ又は複数のイメージセンサ（例えば、カメラ）を含み得る。
【００１５】
これらの制御システム及び方法は、識別される装置が、この装置を制御するために制御項目と組み合わせられるようにし、且つ、この制御項目を制御システムのディスプレイにおける直感的な位置に配置させることを可能にする。ユーザは、制御されるのが望まれる装置と関連付けられる制御項目を容易に発見し得、その結果、制御項目を通じて装置を制御し得る。
【００１６】
請求項２及び８に記載される本発明の実施例は、ユーザ又はデザイナが、ディスプレイにおける所望な位置に制御項目を配置させるのを可能にさせる。ユーザは、例えば、この装置を探し出すために、受信器を装置へ指し示す（例えば、イメージセンサを光源へ指し示すことにより）ことによって装置を選択し得る。制御システムは、この場合、装置の識別子を受信し得、ユーザ又はデザイナは、その結果、このように識別された装置の制御項目に関してディスプレイにおける位置を選択することが可能であり得る。装置の他の（制御）特徴は、例えば、照明源の方向、ビーム形状、強度、色などを制御するための制御特徴などの、制御項目に関して手動で又は自動的に追加され得る。
【００１７】
請求項３及び１０に記載の本発明の実施例は、ユーザが、受信器をこれらの装置へ指し示すことにより一度で１つ又は複数の装置を選択することを可能にする。制御システムは、受信器の受信領域にある装置の相対的位置を決定し、そして、これらの装置のそれぞれの識別子を決定するように構成される。結果として、制御項目は、ユーザ／デザイナが予想する位置に制御項目が自動的に設けられるような制御ディスプレイを得るために、装置の決定された相対的位置に従いディスプレイに位置される。
【００１８】
請求項４及び１１に記載の本発明の実施例は、ユーザ／デザイナに対してどの制御項目が特定の（一群の）装置を制御するために操作されるべきかを更に明確にするために、（例えば部屋のスナップショットを撮影することにより得られる）装置の画像に又はその近辺に、ディスプレイにおける制御項目の表示を可能にする。
【００１９】
請求項５及び１２に記載の本発明の実施例は、照明源の識別子の送信を、照明目的に関して照明源によって発される可視光においてこの識別子を埋め込むことによって、可能にする。識別子の埋め込みは、ユーザには見えないが受信器によって検出可能であるような手法で可視光を変調させることによって実行され得る。変調光は、照明源の更なる（制御及び／状態）情報を伝達するために使用され得る。
【００２０】
しかし、装置は、識別子並びに、可能であれば、制御及び／又は状態情報を制御システムへ送信するために、例えば、赤外線光源、無線周波数源、又は超音波源などの専用送信要素をも含み得ることを理解されるべきである。制御装置の受信器は、このような識別信号を受信するように構成される。
【００２１】
装置及び制御システム間の直接的なチャネルの帯域制限を鑑みると（例えば、照明源の可視光が使用される場合など）、好ましくは、装置識別子のみが装置自体から直接獲得され、この場合、他の情報は、請求項６及び１３の実施例に規定されるように、識別子（又は識別子の派生物）をこの情報を取得するためのキー又は指数として用いて、取得される。
【００２２】
制御システム及び装置間の直接的なチャネルは双方向的であり得ないので、請求項７及び１４の実施例は、制御コマンドを受信するように構成される中央手段を供給し、且つ、可能であれば、処理後に、制御コマンドを制御システムのディスプレイに制御項目の動作に従い装置へ供給する。ある実施例において、一方向性光チャネルは、装置の識別子を伝達するのに使用され、この場合、双方向無線周波数チャネルは、装置を実際に制御するために使用される。
【００２３】
本発明の特に有利な応用例は、ビル又は他の空間における照明インフラストラクチャの分野における。例えば、制御システムは、ビル又は空間における照明シーンを得るために光を発するように構成される１つ又は複数の制御可能な照明源を制御するのに使用され得る。照明源のそれぞれは、１つ又は複数のイメージセンサ（例えば、カメラなど）を受信器として使用する制御システムによって記録され得る識別子によって識別される。好ましくは、識別子は、照明源自体によって発される光から得られる。制御システムは、ディスプレイを含む。制御システムは、ディスプレイにユーザインターフェイスを提供するように構成される。制御システムは、更に、シーン画像及び制御画像を生成するのに更に構成される。シーン画像は、受信器を介して入手され、照明源の画像及び／又はこれらの照明源によって発される光の画像を含み得る。制御画像は、制御項目を含み、且つ、可能であれば、更に、識別される照明源の１つ又は複数の制御情報を含む。ユーザインターフェイスは、シーン画像及び制御画像の合成画像を含み、この場合、制御項目は、制御項目及び照明源が組にされるように、シーン画像における照明源及び／又はこれらの照明源によって発される光の位置に依存して、ユーザインターフェイスに配置される。
【００２４】
このようにして、ユーザ／デザイナにとって、所望な照明シーンを得るために、どの制御項目が特定の（群の）照明源を制御するように動作されるべきかが直感的に明確になる。制御画像と好ましくは重ね合わせの形態で合成される、照明源及び／又はこれらの発光の実際のシーン画像を示すディスプレイは、ユーザ／デザイナが、照明インフラストラクチャを直感的に制御するのを可能にする。シーン画像及び制御画像は、照明源の識別を介してリンクされる。制御画像は、照明シーンを適合させるために個別の照明源の制御オプションの直接的理解を提供する。シーン画像は、照明源を制御する結果に対して直接のフィードバックを提供し得る。
【００２５】
制御情報を有する照明シーンに領域をリンク付けすることは、制御情報がユーザインターフェイスにおけるこのような領域上に提供されることを必ずしも示さないことを特記されるべきである。接続ライン、色、メニューなどの使用を含む、他の変形態様も着想されている。
【００２６】
制御画像は、１つ又は複数の選択可能なショットカットを含み得、この場合、ショートカットは、これらのショートカットの選択に伴い更なる制御オプションを提供するように構成されることを特記されるべきである。このようにして、制御情報は、特定の照明源が望ましくない場合に、シーン画像をほとんど隠さない一方で、照明源を制御する制御情報は、容易にアクセス可能であることを維持される。
【００２７】
以下において、本発明の実施例は、より詳細に記載される。しかし、これらの実施例は、本発明の保護範囲を制限するようには解釈され得ないことを理解されるべきである。
【図面の簡単な説明】
【００２８】
【図１Ａ】図１Ａは、本発明の実施例に従う装置構成及び制御システムを含むシステムの概略図である。
【図１Ｂ】図１Ｂは、本発明の実施例に従う装置構成及び制御システムを含むシステムの概略図である。
【図２】図２は、本発明の実施例に従う制御システムを用いて制御されるべき照明インフラストラクチャを備えられる部屋の概略図である。
【図３Ａ】図３Ａは、図１の部屋のシーン画像の概略図である。
【図３Ｂ】図３Ｂは、本発明の実施例に従う制御画像の概略図である。
【図４】図４は、図３Ｂの制御画像が図３Ａのシーン画像をオーバーレイするユーザインターフェイスの概略図である。
【図５】図５は、図４のユーザインターフェイスの制御情報の概略図である。
【発明を実施するための形態】
【００２９】
図１Ａ及び１Ｂは、それぞれが識別子ＩＤ１、ＩＤ２、ＩＤ３を用いて識別される制御可能な装置１Ａ、１Ｂ、１Ｃを含み、この識別子を含む識別信号を外部システムへ送信するように構成されるシステムの概略図である。装置１Ａ、１Ｂ、１Ｃは、照明源又はカーテンなどの同様な又は異なる装置であり得る。
【００３０】
制御装置２は、制御可能な装置１Ａ、１Ｂ、１Ｃを制御するために設けられる。制御装置２は、好ましくは、１つ又は複数の制御項目Ｃを表示することが可能であるディスプレイ３を含む携帯型装置（例えば、ラップトップコンピュータ、リモートコントロール、又は、携帯電話、ＰＤＡ若しくは他のハンドヘルド型装置などの携帯型通信装置）である。制御項目Ｃは、タッチスクリーンを用いたディスプレイにおいて直接、又は、キーボード、マウス若しくは他の操作手段などの周辺機器を操作することによって、操作され得る。
【００３１】
制御装置２は、制御可能装置１Ａ−１Ｃから識別信号を受信するように構成される受信器４を含む。識別信号は、（超）音波信号又は、例えば、制御装置に設けられる赤外線発光ダイオードなどを用いた光信号を含み得る。受信器は、装置の識別子を得るための１つ又は複数のイメージセンサ（例えば、カメラなど）を含み得る。
【００３２】
制御システム２は、当業者に知られた手法で計算機プログラムを記憶及び実行するように構成される（図示されない）記憶手段及び処理記を含む。制御システム２は、以下に記載される機能性を得ることが可能である１つ又は複数の計算機プログラムを備えられる。
【００３３】
制御システム２は、ディスプレイ３における制御項目Ｃ１−Ｃ３の位置を識別子ＩＤ１−ＩＤ３を用いて識別される装置１Ａ−１Ｃへ割り当てるように構成される。制御システムは、識別された装置１Ａ−１Ｃを、制御項目Ｃ１−Ｃ３と組にさせ、これにより、これらの装置を制御し、この制御項目Ｃ１−Ｃ３を制御システム２のディスプレイ３における直感的な位置に配置させるようにさせる。ユーザは、制御されるのを望まれる装置１Ａ−１Ｃと関連付けられる制御項目を容易に発見し、その後、制御項目Ｃ１−Ｃ３を介して装置１Ａ−１Ｃを制御し得る。
【００３４】
図１Ａの実施例において、受信器４は、ＩＤ２を含む装置１Ｂの識別信号を区別し、受信するために、装置１Ｂの方向へ向けられる。制御項目Ｃ２は、識別子ＩＤ２を用いて装置１Ｂへ組にさせられる。装置１Ｂを割り当てられた制御項目Ｃ２の位置は、矢印Ａによって示されるように、ユーザによって選択され得る。制御項目Ｃ２は、装置１Ｂの制御を可能にする更なる制御属性を含む又は受信する。更なる制御情報及び／又は属性は、ユーザによる手動によっても加えられ得る。
【００３５】
図１Ｂの実施例において、受信器４の視野は、多重装置１Ａ−１Ｃの識別信号が、受信され得、相対位置（例えば、装置１Ａ−１Ｃの分布など）が決定され得るようにされる。制御システム２は、ディスプレイ３における制御項目Ｃ１−Ｃ３の位置がこれらの装置の決定された相対位置に依存して装置１Ａ−１Ｃへ割り当てられ、この場合、個別の装置は、識別子ＩＤ１−ＩＤ３を用いて区別される。
【００３６】
制御項目Ｃ１−Ｃ３は、識別信号を受信及び処理する前にディスプレイ３に表示され得る、又は、識別信号を受信することに応答して生成され得る。
【００３７】
上述されるように、制御システム２の特に有利な応用例は、照明インフラストラクチャの制御における。以下に、このような応用例は、更に詳細に説明され得る。
【００３８】
図２は、複数の照明源１Ａ、１Ｂ、１Ｃ及び制御装置１０を含む照明インフラストラクチャを備えられる部屋Ｒの概略図である。制御装置１０は、照明源１Ａ−１Ｃのそれぞれに関して手動制御（例えば、オン／オフ、操作(steering)、プログラミングなど）を可能にさせる。制御装置１０は、以下に更に詳細に説明され得るように、制御項目Ｃを用いてタッチスクリーンを含み得る。
【００３９】
図２の例において、照明インフラストラクチャは、部屋Ｒの天井に配置される操作可能な２つのスポットライト１Ａ・１Ｂ、及び部屋Ｒの床に設けられる複数の光源を含む照明器具１Ｃを含む。これらの光源は、個別に制御され得る。
【００４０】
照明源１Ａ−１Ｃは、光を部屋Ｒの側壁へ放出し、これにより、照明源１Ａ−１Ｃのそれぞれの１つ又は複数のフットプリント又は照明領域Ｆからなる照明シーンが得られる。
【００４１】
照明インフラストラクチャが導入されている場合、デザイナは、意図される照明シーンを得るために、照明インフラストラクチャの１つ又は複数のコンポーネントを制御するように、図２に示される制御システム２を使用し得る。
【００４２】
制御システム２は、携帯型計算機装置１１、すなわちラップトップ、及び本発明ではカメラである受信器として動作するイメージセンサアレイ４を含む。イメージセンサアレイ４は、必ずしも制御システム２の個別のコンポーネントではないが、計算機装置１１に一体化され得ることを特記されるべきである。照明源１Ａ−１Ｃの識別子を受信するためには、数個の（例えば３つの）イメージセンサで十分であり得ることも特記されるべきである。計算機装置１１は、制御項目を用いて照明源１Ａ−１Ｃ及び制御装置１０を制御するのを可能にさせる、図４を参照してより詳細に記載されるユーザインターフェイスを提供するディスプレイ３を含む。
【００４３】
照明源１Ａ−１Ｃ及び制御装置１０の制御は、計算機装置１１におけるキー、若しくはマウス（図示されない）などの周辺機器を操作することにより、又は、タッチスクリーン装置を用いることにより、制御項目Ｃ（図３Ｂ及び４参照）を用いて、達成され得る。ユーザインターフェイスを用いたこのような操作を実行すると、制御コマンドは、制御ネットワーク１２を通じて照明源１Ａ−１Ｃ及び制御装置１０へ接続される制御ハブ１３へ無線送信される。制御ネットワーク１２は、例えば、ZigBeeネットワーク、DALIネットワーク、DMXネットワーク又はその等価物などであり得る。制御ハブ１３は、照明源１Ａ−１Ｃのネットワークの認証に関して設定され得る。照明源１Ａ−１Ｃ及び制御装置１０は、制御コマンドを処理し、制御コマンドに従いこれらの特性／設定を適合させるように構成される。当然、制御ハブ１３は、バイパスされ得、照明源１Ａ−１Ｃは、制御システム２から直接制御され得る。
【００４４】
計算機装置１１は、当業者に知られた手法で計算機プログラムを記憶及び実行するように構成される記憶手段及び処理器（図示されない）を含む。計算機装置１１は、図３Ａ・３Ｂ・４・５を参照して以下に記載される機能を得ることが可能である１つ又は複数の計算機プログラムを備えられる。この実施例において、ソフトウェアパッケージは、制御項目としてアイコンを含み、ファイル、編集及び表示などの一般的に知られた項目を含むコマンドメニューを用いるウィンドウズ（登録商標）風デザインの環境を含む。
【００４５】
計算機装置１１は、イメージセンサ４を用いて図３Ａに示されるシーン画像２０を記憶するようにプログラムされる。本発明において、シーン画像２０は、照明インフラストラクチャのインフラストラクチャ的コンポーネント１Ａ−１Ｃと照明源１Ａ−１Ｃによって発される光から生じるフットプリントＦとの両方の画像を含み、これにより、インフラストラクチャの実際の画像を提供する。
【００４６】
計算機装置１１は、図１Ｂを参照して説明され、図３Ｂに概略的に示され、そして以下において制御画像３０として記される制御項目を有する第２画像を生成するようにもプログラムされる。制御画像３０は、照明源２及び制御装置３の制御を可能にする制御項目Ｃを含む。図３Ｂの実施例において、制御項目は、照明源１Ａ−１Ｃ及び制御装置１０の相対的位置を反映する位置においてショートカットとして配置される。図３Ｂにおいて、制御画像３０は、装置１Ｃの全ての光源の制御を可能にするグループショートカットＣＧ、及び光源のそれぞれを個別に制御するための独立したショートカット、を含む。
【００４７】
制御画像３０は、以下のように入手される。部屋Ｒにおける照明源１Ａ−１Ｃは、それぞれ、様々な手法で制御システム２へ伝達され得る識別子ＩＤ１−ＩＤ３を有する。照明源１Ａ−１Ｃは、中央システム２へ識別子を送信するために赤外線光源（図示されない）を含み得る。イメージセンサアレイ４は、赤外線リンクを通じて識別子を受信するように使用され得る。
【００４８】
図２の実施例において、照明源１Ａ−１Ｃの識別子は、発される光に埋め込められ、この光は、イメージセンサアレイ４によって記録される。計算機装置１１は、発される光から識別子を得るように構成され、これにより、制御項目Ｃの位置を照明源１Ａ−１Ｃへ割り当てるようにさせる。
【００４９】
照明源２から識別子を得るための上述の実施例は、制御項目Ｃを用いた制御を可能にするために、照明源１Ｃから直接、制御又は状態情報などの更なる情報を得るためにも使用され得る。
【００５０】
しかし、有利な実施例において、制御情報の少なくとも一部は、照明源２から直接的には受信されないが、取得のための因数又はキーとして識別子を用いて、他のどこかから取得される。制御情報は、例えば、制御システム２内に記憶され、制御システム２によって受信される照明源１Ａ−１Ｃの識別子を用いて取得され得る。制御情報は、識別子を受信しそして外部記憶された制御情報をダウンロードするために識別子を使用することに応答して、中央ハブ１２のネットワーク又はインターネットを通じて外部からも入手され得る。
【００５１】
図４は、ユーザ／デザイナによる制御を可能にするユーザインターフェイスＵＩの実施例を示し、この場合、シーン画像２０及び制御画像３０は、組み合わせられている。特に、制御画像３０は、シーン画像２０をオーバーレイ(overlay)し、これにより、制御項目Ｃのそれぞれの位置は、特定の装置１Ａ−１Ｃへ割り当てられており、すなわち、直感的な組み合わせが、制御項目Ｃと対応する照明源１Ａ−１Ｃとの間において達成されている。このような実施例は、照明源１Ａ−１Ｃと制御項目Ｃとの間の直感的且つ明確なリンクを提供する。
【００５２】
発される光の実際のシーン画像２０を制御画像３０と組み合わせていることを示すディスプレイ３は、ユーザ／デザイナがユーザインターフェイスＵＩを操作し及び見ることのみにより照明インフラストラクチャのコンポーネントを制御することを可能にさせる。制御画像３０は、制御項目Ｃを、シーン画像２０の装置すなわちフットプリントＦへリンク付けすることにより、照明源の制御オプションの直接的な洞察が、照明シーンを適合させるためにユーザ／デザイナへ与えられる。実際のシーン画像２０は、照明源１Ａ−１Ｃを制御する結果への直接のフィードバックを提供し得る。
【００５３】
イメージセンサアレイ４が部屋Ｒの異なる場所を記録するために動かされる場合（例えば、デザイナが制御システム２を持って歩き回る場合）、受信器４の視野変化は変化し、表示される制御項目も適宜変化する。
【００５４】
ユーザインターフェイスＵＩは、制御項目Ｃとして１つ又は複数の選択可能なショートカットを含む。ショートカットＣは、図５に例示されるように、これらのショートカットの選択の際に、更なる制御オプションを提供するように構成される。ショートカットの背後の制御情報は、ショートカット３１と関連付けられる照明源１Ａ−１Ｃの実際の制御を可能にする、例えば、照明源に関する色点の選択、及び、照明源の方向の選択などである。この詳細な制御情報から、適切なボタンを選択することによってインターフェイスへ戻ることが可能である。このようにして、制御項目は、特定の照明源の制御が望まれない場合に、シーン画像２０をほとんど隠さない一方で、照明源を制御するための制御情報は、ショートカットＣを選択することにより容易にアクセス可能であることを維持される。
【００５５】
制御情報は、シーン画像２０に直接的にも、すなわちショートカットを使用することなく表され得る。このようにして、ユーザ／照明デザイナは、（いかなるショートカットアイコンをもクリックすることなく）直接主ユーザインターフェイスにおいて、装置についての情報を読み、そして情報を制御することが出来る。
【００５６】
ユーザインターフェイスは、ユーザ／照明デザイナが、照明源１Ａ−１Ｃ及び制御装置１０のそれぞれの動作を独立して設定することを可能にする。全ての所望な装置が設定されると、照明デザイナは、全てのこれらの設定をグループ化し、名前を付け、後の使用のために制御システム２に記憶させることが可能である。このことは、（照明）シーンを作成する工程である。より多くのシーンがこのようにして作成され得る。制御システム２を用いることなくシーンの簡単な選択を可能にするために、ユーザは、ユーザインターフェイスを制御装置１０へ接続し得る。この操作は、制御システム１２を介して実行され得る。様々な方法が可能である。例えば、シーンが作成されると、このシーンをポップアップウィンドウにおける制御ツールを介して制御装置１０へリンク付けすることが可能である。別の実施例において、相対的な装置を制御ショートカット（のショットカットアイコン）上にドラッグアンドドロップすることにより、シーンを制御装置１０へリンク付けすることが可能である。
【００５７】
別の実施例において、シーンが作成されると、代表的なシーンアイコンが制御システム２のディスプレイのユーザインターフェイスに現れ得る。この場合、シーンアイコンを所望な制御ショートカット（のショットカットアイコン）上にドラッグアンドドロップすることにより、このシーンを制御装置１０へリンク付けすることが可能である。
【００５８】
別の実施例において、ユーザ／デザイナは、シーン画像における領域を選択し、且つ、所望な照明効果の特徴（例えば、サイズ、色、強度、時間変化など）を規定することによって光効果を生成し得る。実施例のうちの一つにおいて、このことは、制御されるべき照明源１Ａ−１Ｃの一群の周囲に円を描くことによって実行され得る。編集ソフトウェアパッケージの特別ツールは、この種の対処法を可能にする。この場合、計算機装置１１上で実行されるソフトウェアプログラムは、知的マッピングアルゴリズムを用いて要求される光効果を再生する。これらのアルゴリズムは、要求される光効果を最適に再生するために（照明）装置を制御する。
【図１Ａ】
0005404811.tif 000002
【図１Ｂ】
0005404811.tif 000003
【図２】
0005404811.tif 000004
【図３】
0005404811.tif 000005
【図４】
0005404811.tif 000006
【図５】
0005404811.tif 000007